(57)【要約】【課題】被験者の負担を最小限に抑えながら、被験者の口腔運動を立体的に観察し、測定する。【解決手段】口腔運動測定装置１０は、被験者１の咬筋部、オトガイ部、喉頭部のうち選択された部位に取り付け可能な３軸加速度センサ２０と、前記３軸加速度センサ２０の出力に基づいて被験者の口腔運動を測定する測定部３５とを備える。【選択図】図２
2008018094.tif 000002
【特許請求の範囲】
【請求項１】
被験者の咬筋部、オトガイ部、喉頭部のうち選択された部位に取り付け可能な３軸加速度センサと、
前記３軸加速度センサの出力に基づいて被験者の口腔運動を測定する測定部と、
を備えたことを特徴とする口腔運動測定装置。
【請求項２】
被験者の下顎適宜部位に取り付け可能な３軸加速度センサと、
前記３軸加速度センサの出力に基づいて被験者の顎運動を測定する測定部と、
を備えたことを特徴とする口腔運動測定装置。
【請求項３】
被験者の少なくとも左右いずれか一方の咬筋部に取り付け可能な３軸加速度センサと、
前記３軸加速度センサの出力に基づいて被験者の咀嚼運動を測定する測定部と、
を備えたことを特徴とする口腔運動測定装置。
【請求項４】
被験者のオトガイ部に取り付け可能な３軸加速度センサと、
前記３軸加速度センサの出力に基づいて被験者の咀嚼運動を測定する測定部と、
を備えたことを特徴とする口腔運動測定装置。
【請求項５】
被験者の喉頭部に取り付け可能な３軸加速度センサと、
前記３軸加速度センサの出力に基づいて被験者の嚥下運動を測定する測定部と、
を備えたことを特徴とする口腔運動測定装置。
【発明の詳細な説明】
【技術分野】
【０００１】
この発明は、被験者の口腔運動を測定する口腔運動測定装置に関するものである。
【背景技術】
【０００２】
従来、歯科医療において被験者の咬合状態を観察・調整するための装置として、被験者の顔面にフェースボウを取り付けるものがある（例えば、特許文献１参照）。
【０００３】
また、被験者の顔面に固定マーカーを付着し、この固定マーカーと移動マーカーとの相対的な移動をカメラで撮影するものがある（例えば、特許文献２参照）。
【特許文献１】特開平７−３０８３２９号公報
【特許文献２】特開２００４−８１８６５号公報
【発明の開示】
【発明が解決しようとする課題】
【０００４】
しかしながら、上記のような従来の装置は、つぎのような課題があった。
【０００５】
すなわち、特許文献１に示す下顎運動測定装置の場合は、被験者の顔面にフェースボウを取り付ける必要があるため、被験者にとって大きな負担となる。
【０００６】
また、特許文献２に示す顎運動測定装置の場合は、被験者の顔面に固定マーカーを付着するだけでなく、移動マーカーを被験者の下顎に固定する必要があるため、被験者にとっては固定マーカーと移動マーカーの両方を取り付けなければならず、これもまた被験者にとって大きな負担となる。
【０００７】
この発明は、上記課題を解決するために為されたものであり、被験者の負担を最小限に抑えながら、被験者の口腔運動を立体的に観察し、測定することのできる口腔運動測定装置を提供することを目的とする。
【課題を解決するための手段】
【０００８】
この発明の請求項１に係る口腔運動測定装置は、被験者の咬筋部、オトガイ部、喉頭部のうち選択された部位に取り付け可能な３軸加速度センサと、前記３軸加速度センサの出力に基づいて被験者の口腔運動を測定する測定部と、を備えたことを特徴とするものである。
【０００９】
この発明の請求項２に係る口腔運動測定装置は、被験者の下顎適宜部位に取り付け可能な３軸加速度センサと、前記３軸加速度センサの出力に基づいて被験者の顎運動を測定する測定部と、を備えたことを特徴とするものである。
【００１０】
この発明の請求項３に係る口腔運動測定装置は、被験者の少なくとも左右いずれか一方の咬筋部に取り付け可能な３軸加速度センサと、前記３軸加速度センサの出力に基づいて被験者の咀嚼運動を測定する測定部と、を備えたことを特徴とするものである。
【００１１】
この発明の請求項４に係る口腔運動測定装置は、被験者のオトガイ部に取り付け可能な３軸加速度センサと、前記３軸加速度センサの出力に基づいて被験者の咀嚼運動を測定する測定部と、を備えたことを特徴とするものである。
【００１２】
この発明の請求項５に係る口腔運動測定装置は、被験者の喉頭部に取り付け可能な３軸加速度センサと、前記３軸加速度センサの出力に基づいて被験者の嚥下運動を測定する測定部と、を備えたことを特徴とするものである。
【発明の効果】
【００１３】
この発明は以上のように、被験者の咬筋部、オトガイ部、喉頭部のうち選択された部位に取り付け可能な３軸加速度センサと、前記３軸加速度センサの出力に基づいて被験者の口腔運動を測定する測定部とを備えた構成としたので、被験者の負担は咬筋部、オトガイ部、喉頭部のうち選択された部位に３軸加速度センサを取り付けるだけの最小限に抑えることができ、しかも、被験者の口腔運動を立体的に観察し、測定することができる。
【発明を実施するための最良の形態】
【００１４】
この発明の実施の形態を、図面を参照して説明する。
【００１５】
図１は、この発明による口腔運動測定装置の一実施形態を示すシステム構成図であり、この口腔運動測定装置１０は、３軸（３次元）加速度センサ２０と、装置本体３０とを備えている。
【００１６】
装置本体３０には、バッテリ４０が取り付けられ、また、外部メモリ５０が着脱可能であり、さらに、適宜のパソコン（例えば、ノートパソコン）６０およびプリンタ７０が接続されるようになっている。そして、これら全体が口腔運動測定装置１０を含むシステムとして構成されている。
【００１７】
３軸加速度センサ２０は、１個のセンサがＸ軸，Ｙ軸，Ｚ軸の３方向の加速度を検出するものであり、重力成分も同時に検出する。
【００１８】
このような３軸加速度センサ２０が、被験者１の右と左の咬筋部、オトガイ部、喉頭部の合計４箇所に装着できるように、装置本体３０には４個の３軸加速度センサ２０（２０ａ，２０ｂ，２０ｃ，２０ｄ）が備えられる。すなわち、４個の３軸加速度センサ２０ａ，２０ｂ，２０ｃ，２０ｄがそれらのケーブルの巻き取り器２５を介して１本に纏められて装置本体３０にコネクタ接続されるようになっている。
【００１９】
図２に示すように、装置本体３０は、３軸加速度センサ２０からのＸ軸信号，Ｙ軸信号，Ｚ軸信号をそれぞれゲイン１の増幅度で受けるバッファアンプ３１ｘ，３１ｙ，３１ｚを備えている。これらのバッファアンプ３１ｘ，３１ｙ，３１ｚは、入力は高インピーダンス、出力は低インピーダンスになっていて、３軸加速度センサ２０からのＸ軸信号，Ｙ軸信号，Ｚ軸信号と、後段のハイパスフィルタとの干渉を避けるためのものである。
【００２０】
また、装置本体３０は、バッファアンプ３１ｘ，３１ｙ，３１ｚの後段に、ハイパスフィルタ３２ｘ，３２ｙ，３２ｚを備えている。被験者１が口腔運動を行うとき、口腔運動以外の顔の傾き、ゆれ、等の変化が３軸加速度センサ２０で検出される。このとき、傾きの角度により、Ｘ軸信号，Ｙ軸信号，Ｚ軸信号にそれぞれ直流成分の変化として現れる。
【００２１】
このため、口腔運動によるＸ軸信号，Ｙ軸信号，Ｚ軸信号のみデータとして収集し、顔の傾き、ゆれ、等はＸ軸信号，Ｙ軸信号，Ｚ軸信号に入らないように、ハイパスフィルタ３２ｘ，３２ｙ，３２ｚによって直流成分をカットしている。このとき、時定数＝約０．４１ｓｅｃが最適な値であることを確認した。
【００２２】
緩やかな動きもＸ軸信号，Ｙ軸信号，Ｚ軸信号として捉えたい場合は、時定数を大きくし、早い動きのみをＸ軸信号，Ｙ軸信号，Ｚ軸信号として捉えたい場合は、時定数を小さくする。
【００２３】
測定の種類により直流成分（重力成分）が必要な場合は、ハイパスフィルタ３２ｘ，３２ｙ，３２ｚのコンデンサを短絡することで、ハイパスフィルタ３２ｘ，３２ｙ，３２ｚを無効にすることも可能に構成してある。
【００２４】
また、装置本体３０は、ハイパスフィルタ３２ｘ，３２ｙ，３２ｚの後段に、増幅回路（バッファアンプ）３３ｘ，３３ｙ，３３ｚを備えている。これらの増幅回路３３ｘ，３３ｙ，３３ｚは、バッファアンプ３１ｘ，３１ｙ，３１ｚと同様に、ハイパスフィルタ３２ｘ，３２ｙ，３２ｚと後段のＡ／Ｄコンバータとの干渉を避けている。また、増幅回路３３ｘ，３３ｙ，３３ｚは、Ａ／Ｄコンバータに入力される信号レベルを、Ａ／Ｄコンバータが要求するレベルまで増幅する。
【００２５】
また、装置本体３０は、増幅回路３３ｘ，３３ｙ，３３ｚの後段に、Ａ／Ｄコンバータ３４ｘ，３４ｙ，３４ｚを備えている。３軸加速度センサ２０の出力信号は、１Ｇ＝０．３３３Ｖのアナログ信号であり、データとして収集するにはディジタル化する必要があるため、Ａ／Ｄコンバータ３４ｘ，３４ｙ，３４ｚを用いている。
【００２６】
Ａ／Ｄコンバータ３４ｘ，３４ｙ，３４ｚとしては、例えば、１ビット＝０．１５３ｍＶ（１６ビットコンバータ）、サンプリングタイム＝２ｍｓｅｃの条件で充分なデータを収集可能である。
【００２７】
このようなバッファアンプ３１ｘ，３１ｙ，３１ｚ、ハイパスフィルタ３２ｘ，３２ｙ，３２ｚ、増幅回路３３ｘ，３３ｙ，３３ｚ、およびＡ／Ｄコンバータ３４ｘ，３４ｙ，３４ｚが、被験者１の口腔運動を測定する測定部３５として構成される。
【００２８】
そして、装置本体３０は、４個の３軸加速度センサ２０ａ，２０ｂ，２０ｃ，２０ｄにそれぞれ対応して、合計４個の測定部３５（３５ａ，３５ｂ，３５ｃ，３５ｄ）を備えている。３軸加速度センサ２０ａ用の測定部３５ａ以外の他の測定部３５ｂ，３５ｃ，３５ｄについては、それぞれ測定部３５ａと同様の構成であるため、詳細な図示を省略してある。
【００２９】
また、装置本体３０は、３軸加速度センサ２０の出力信号をディジタル化したデータをパソコン６０に収集するため、必要なバスインタフェース３６を備えている。
【００３０】
さらに、装置本体３０は、装置の利用者（例えば、歯科医師）が、被験者１の様子を見ながら測定開始／停止を行うことができるように、外部測定開始／停止スイッチ３７を備えている。外部測定開始／停止スイッチ３７は、例えば、ＯＮ−ＯＦＦ−ＯＮタイプの中立トグルスイッチで構成することが可能である。
【００３１】
図１において、バッテリ４０はＡＣアダプタ４１を備え、ＡＣ電源からＡＣアダプタ４１を介して充電されて装置本体３０にＤＣ電力を供給するものである。
【００３２】
外部メモリ５０は、３軸加速度センサ２０の出力信号をディジタル化したデータを記憶できるものであり、外部メモリ５０に一旦記憶したデータをパソコン６０に取り込んで処理することが可能になっている。
【００３３】
パソコン６０は、口腔運動測定装置１０の主操作パネルとグラフ表示器の機能を兼ねていて、必要なすべての操作をパソコン６０のキーボードにより行うことができるように、適宜のプログラムがインストールされた構成となっている。
【００３４】
パソコン６０が収集する元データは、４個の３軸加速度センサ２０ａ，２０ｂ，２０ｃ，２０ｄから得られる各３軸のデータで合計１２データである。
【００３５】
３軸加速度センサ２０を装着した被験者１の部位により、意味のあるデータの軸（Ｘ軸，Ｙ軸，Ｚ軸）が異なるため、１２データを収集する。
【００３６】
また、被験者１ごとに収集したデータを迅速に識別可能な名前を付加できるように構成してある。
【００３７】
また、パソコン６０が収集した元データは、加速度波形である。加速度波形は、３軸加速度センサ２０の動作一往復につき２回信号波形のピークが発生し、分かりづらい場合がある。このため、プログラムは、加速度波形を一度積分する。積分後は速度波形になるため、実際の動作状態を連想しやすくなる。
【００３８】
そして、速度波形に基づいて、口腔運動としての噛む動作（顎運動または咀嚼運動）に関しては、咀嚼回数、波形振幅、速さ（噛む動作一往復の時間）等が自動的に測定され、また、口腔運動としての飲み込む動作（嚥下運動）に関しては、振幅、回数等が自動的に測定されるように構成してある。
【００３９】
プリンタ７０は、パソコン６０によるデータの測定結果、分析結果等を用紙にプリント出力するものである。
【００４０】
図３は、４個の３軸加速度センサ２０ａ，２０ｂ，２０ｃ，２０ｄの装着位置を示し、図３（ａ）は、被験者１の右と左の咬筋部に２個の３軸加速度センサ（例えば２０ａ，２０ｂ）を装着した状態を示す。この装着状態では、被験者１の噛む動作（咀嚼運動）に関して、咀嚼回数、速さ（噛む動作一往復の時間）等を立体的に観察し、測定することが可能である。
【００４１】
図３（ｂ）は、被験者１のオトガイ部に１個の３軸加速度センサ（例えば２０ｃ）を装着した状態を示す。この装着状態では、被験者１の噛む動作（顎運動または咀嚼運動）に関して、回数、波形振幅、速さ（噛む動作一往復の時間）等を立体的に観察し、測定することが可能である。
【００４２】
図３（ｃ）は、被験者１の喉頭部に１個の３軸加速度センサ（例えば２０ｄ）を装着した状態を示す。この装着状態では、被験者１の飲み込む動作（嚥下運動）に関して、振幅、回数等を立体的に観察し、測定することが可能である。
【００４３】
図３（ｄ）は、被験者１の右と左の咬筋部に２個の３軸加速度センサ（例えば２０ａ，２０ｂ）を装着し、かつ、オトガイ部に１個の３軸加速度センサ（例えば２０ｃ）を装着した状態を示す。この装着状態では、被験者１の噛む動作（顎運動および咀嚼運動）に関して、咀嚼回数、波形振幅、速さ（噛む動作一往復の時間）等を立体的に観察し、測定することが可能である。
【００４４】
図３（ｅ）は、被験者１のオトガイ部に１個の３軸加速度センサ（例えば２０ｃ）を装着し、かつ、喉頭部に１個の３軸加速度センサ（例えば２０ｄ）を装着した状態を示す。この装着状態では、被験者１の噛む動作（顎運動または咀嚼運動）に関して、回数、波形振幅、速さ（噛む動作一往復の時間）等を立体的に観察・測定し、かつ、飲み込む動作（嚥下運動）に関して、振幅、回数等を立体的に観察し、測定することが可能である。
【００４５】
図３（ｆ）は、被験者１の右と左の咬筋部に２個の３軸加速度センサ（例えば２０ａ，２０ｂ）を装着し、かつ、喉頭部に１個の３軸加速度センサ（例えば２０ｄ）を装着した状態を示す。この装着状態では、被験者１の噛む動作（咀嚼運動）に関して、咀嚼回数、速さ（噛む動作一往復の時間）等を立体的に観察・測定し、かつ、飲み込む動作（嚥下運動）に関して、振幅、回数等を立体的に観察し、測定することが可能である。
【００４６】
図３（ｇ）は、被験者１の右と左の咬筋部に２個の３軸加速度センサ（例えば２０ａ，２０ｂ）を装着し、かつ、オトガイ部に１個の３軸加速度センサ（例えば２０ｃ）を装着し、さらに、喉頭部に１個の３軸加速度センサ（例えば２０ｄ）を装着した状態を示す。この装着状態では、被験者１の噛む動作（顎運動および咀嚼運動）に関して、咀嚼回数、波形振幅、速さ（噛む動作一往復の時間）等を立体的に観察・測定し、かつ、飲み込む動作（嚥下運動）に関して、振幅、回数等を立体的に観察し、測定することが可能である。
【００４７】
なお、図３（ｂ），（ｄ），（ｅ），（ｇ）において、被験者１のオトガイ部に代えて、オトガイ部以外の下顎適宜部位に、１個の３軸加速度センサ（例えば２０ｃ）を装着することも可能である。
【００４８】
また、図３（ｂ）において、被験者１の噛む動作ではなく、単に口を大きく開け閉めする動作（顎運動）を立体的に観察し、測定することも可能である。この場合、３軸加速度センサ（例えば２０ｃ）の装着位置は、オトガイ部が好ましいが、必要ならオトガイ部以外の下顎適宜部位に装着することも可能である。
【００４９】
図４は、口腔運動測定装置１０の測定画面８０を示す図であり、上から順に、オトガイ部データ表示部８１、咬筋部（右）データ表示部８２、咬筋部（左）データ表示部８３、喉頭部データ表示部８４が配置される。
【００５０】
測定画面８０では、オトガイ部、咬筋部（右）、咬筋部（左）、喉頭部、それぞれの動作を時間軸で捉える。すなわち、オトガイ部、咬筋部（右）、咬筋部（左）、喉頭部、それぞれの動作を、それらに共通の同一時間軸上にグラフ表示する。
【００５１】
垂直軸は加速度データで、実際にはＸ軸，Ｙ軸，Ｚ軸を同時に重ねて表示する。これは、被験者１の口腔運動を全体的に捉えるにはきわめて適した方法であり、どの方向に動いても信号として捉えることができる。但し、図４では、オトガイ部、咬筋部（右）、咬筋部（左）、喉頭部それぞれについて、１軸（Ｘ軸，Ｙ軸，Ｚ軸のいずれか）のみ図示している。
【００５２】
被験者１の口腔運動における実際の動作と波形を観察しながら開始、終了を監視しデータを収集する。
【００５３】
図５は、口腔運動測定装置１０の分析画面９０を示す図であり、上から順に、分析データ（分析するデータ；例えばオトガイ部データ）表示部９１、積分分析結果表示部９２、元気力分析データ表示部９３が配置される。
【００５４】
分析画面９０では、分析データ（例えばオトガイ部データ）を時間軸で分析する。
【００５５】
積分分析結果は、分析する部位（オトガイ部、咬筋部（右）、咬筋部（左）、喉頭部のいずれか）の３軸加速度センサ２０の１軸（Ｘ軸，Ｙ軸，Ｚ軸のいずれか）に着目して、得られた加速度データを積分する。積分することにより、口腔運動の速度変化データが速度データに変換され、口腔運動としての例えば咀嚼運動の動作が見えてくる。これにより、咀嚼回数、咀嚼時の噛む早さ、顎の変化の大きさを定量的に把握することができる。
【００５６】
これらの咀嚼運動は、３軸加速度センサ２０を取り付けた部位により、Ｘ軸，Ｙ軸，Ｚ軸のどの軸に着目するかが違ってくる。いずれの軸に対しても、選択して分析することが可能になっている。
【００５７】
どの軸に着目すべきか、図６の３軸解析の描画データを確認して、有効な軸を選択することも可能である。
【００５８】
元気力分析データは、咀嚼時の噛む活発度を判定する。具体的には、３軸加速度センサ２０の出力を絶対値化し、Ｘ軸，Ｙ軸，Ｚ軸の値を加算して判定する。
【００５９】
図６は、口腔運動測定装置１０の解析画面１００を示す図であり、図６に示すグラフは、３軸加速度センサ２０のＸ軸，Ｙ軸，Ｚ軸の各出力を擬似３次元座標上に描画したものである。
【００６０】
この解析例は、図７（ａ），（ｂ）に示すように、被験者１のオトガイ部に取り付けた３軸加速度センサ２０の３次元解析の例であり、３軸加速度センサの有効性を最も良く示している。
【００６１】
描画データは、測定して得られた加速度のまま用いても、積分した値を用いてもどちらも可能である。
【００６２】
図６に示すグラフにおいて、例えば咀嚼時の往復運動は、Ｘ軸，Ｙ軸，Ｚ軸の３次元に表現される。そして、このグラフは、図８に示すように、ＸＹ軸展開（図８（ａ））、ＹＺ軸展開（図８（ｂ））、およびＺＸ軸展開（図８（ｃ））が可能である。異常な咀嚼運動は、その異常な箇所によりＸＹ平面上やＹＺ平面上、またはＺＸ平面上に特徴的な軌跡を描く。これらの軌跡は、正常な咀嚼運動の軌跡波形と比較検討することにより、異常判定が容易に可能となる。
【００６３】
以上のように、この口腔運動測定装置１０は、被験者１の咬筋部、オトガイ部、喉頭部のうち選択された部位に取り付け可能な３軸加速度センサ２０と、前記３軸加速度センサ２０の出力に基づいて被験者１の口腔運動を測定する測定部３５とを備えた構成としたので、被験者１の負担は咬筋部、オトガイ部、喉頭部のうち選択された部位に３軸加速度センサ２０を取り付けるだけの最小限に抑えることができ、しかも、被験者１の口腔運動を立体的に観察し、測定することができる。
【００６４】
また、この口腔運動測定装置１０は、被験者１の下顎適宜部位に取り付け可能な３軸加速度センサ２０と、前記３軸加速度センサ２０の出力に基づいて被験者１の顎運動を測定する測定部３５とを備えた構成としたので、被験者１の負担は下顎適宜部位に３軸加速度センサ２０を取り付けるだけの最小限に抑えることができ、しかも、被験者１の顎運動を立体的に観察し、測定することができる。
【００６５】
また、この口腔運動測定装置１０は、被験者１の少なくとも左右いずれか一方の咬筋部に取り付け可能な３軸加速度センサ２０と、前記３軸加速度センサ２０の出力に基づいて被験者１の咀嚼運動を測定する測定部３５とを備えた構成としたので、被験者１の負担は少なくとも左右いずれか一方の咬筋部に３軸加速度センサ２０を取り付けるだけの最小限に抑えることができ、しかも、被験者１の咀嚼運動を立体的に観察し、測定することができる。
【００６６】
また、この口腔運動測定装置１０は、被験者のオトガイ部に取り付け可能な３軸加速度センサ２０と、前記３軸加速度センサ２０の出力に基づいて被験者の咀嚼運動を測定する測定部３５とを備えた構成としたので、被験者１の負担はオトガイ部に３軸加速度センサ２０を取り付けるだけの最小限に抑えることができ、しかも、被験者１の咀嚼運動を立体的に観察し、測定することができる。
【００６７】
さらに、この口腔運動測定装置１０は、被験者１の喉頭部に取り付け可能な３軸加速度センサ２０と、前記３軸加速度センサ２０の出力に基づいて被験者１の嚥下運動を測定する測定部３５とを備えた構成としたので、被験者１の負担は喉頭部に３軸加速度センサ２０を取り付けるだけの最小限に抑えることができ、しかも、被験者１の嚥下運動を立体的に観察し、測定することができる。
【図面の簡単な説明】
【００６８】
【図１】この発明による口腔運動測定装置の一実施形態を示すシステム構成図である。
【図２】口腔運動測定装置の測定部ブロック図である。
【図３】口腔運動測定装置の３軸加速度センサ装着位置を示す概略図である。
【図４】口腔運動測定装置の測定画面を示す図である。
【図５】口腔運動測定装置の分析画面を示す図である。
【図６】口腔運動測定装置の解析画面を示す図である。
【図７】３軸加速度センサの軸と取付位置との関係を示す図である。
【図８】図６の解析画面の（ａ）ＸＹ軸展開、（ｂ）ＹＺ軸展開、および（ｃ）ＺＸ軸展開を示す図である。
【符号の説明】
【００６９】
１  被験者
１０  口腔運動測定装置
２０（２０ａ，２０ｂ，２０ｃ，２０ｄ）  ３軸（３次元）加速度センサ
２５  ケーブル巻き取り器
３０  装置本体
３１ｘ，３１ｙ，３１ｚ  バッファアンプ
３２ｘ，３２ｙ，３２ｚ  ハイパスフィルタ
３３ｘ，３３ｙ，３３ｚ  増幅回路（バッファアンプ）
３４ｘ，３４ｙ，３４ｚ  Ａ／Ｄコンバータ
３５（３５ａ，３５ｂ，３５ｃ，３５ｄ）  測定部
３６  バスインタフェース
３７  外部測定開始／停止スイッチ
４０  バッテリ
５０  外部メモリ
６０  パソコン（例えば、ノートパソコン）
７０  プリンタ
８０  測定画面
８１  オトガイ部データ表示部
８２  咬筋部（右）データ表示部
８３  咬筋部（左）データ表示部
８４  喉頭部データ表示部
９０  分析画面
９１  分析データ表示部
９２  積分分析結果表示部
９３  元気力分析データ表示部
１００  解析画面
【図１】
2008018094.tif 000003
【図２】
2008018094.tif 000004
【図３】
2008018094.tif 000005
【図４】
2008018094.tif 000006
【図５】
2008018094.tif 000007
【図６】
2008018094.tif 000008
【図７】
2008018094.tif 000009
【図８】
2008018094.tif 000010